(57)【要約】【課題】障子が閉まる際に意図せずに施錠されるおそれをなくすことができる建具を提供すること。【解決手段】引き違い窓は、窓枠と、窓枠内にスライド方向に開閉自在に配置された外障子３と、外障子３を施錠する戸先錠５０とを備える。戸先錠５０は、錠受け部材５１および錠本体５２を備える。錠受け部材５１は窓枠に取り付けられ、錠本体５２は外障子３に取り付けられた台座５３と、台座５３に対して回転可能に取り付けられているとともに、錠受け部材５１に係合可能な第一位置および錠受け部材５１との係合を解除可能な第二位置に配置されるフック部材５４と、フック部材５４を第一位置および第二位置に保持する位置保持機構とを備える。錠受け部材５１には、フック部材５４に当接して当該フック部材５４を第一位置から第二位置へ案内可能に、スライド方向に対して傾斜したフックガイド面５１５が形成されている。【選択図】図２
2018178608.tif 000002
【特許請求の範囲】
【請求項１】
建具枠と、前記建具枠内にスライド方向に開閉自在に配置された障子と、前記障子を施錠する戸先錠とを備えた建具であって、
前記戸先錠は、錠受け部材および錠本体を備え、
前記錠受け部材は、前記建具枠および前記障子のうちのいずれか一方に取り付けられ、
前記錠本体は、前記建具枠および前記障子のうちのいずれか他方に取り付けられた台座と、前記台座に対して回転可能に取り付けられているとともに、前記錠受け部材に係合可能な第一位置および前記錠受け部材との係合を解除可能な第二位置に配置されるフック部材と、前記フック部材を前記第一位置および前記第二位置に保持する位置保持機構とを備え、
少なくとも前記錠受け部材および前記フック部材のうちの一方の部材には、当該他方の部材に当接して前記フック部材を前記第一位置から前記第二位置へ案内可能に、前記スライド方向に対して傾斜したフックガイド面が形成されている
ことを特徴とする建具。
【請求項２】
請求項１に記載の建具において、
前記錠受け部材には、係合孔が形成され、
前記フック部材には、当該フック部材の前記第二位置から前記第一位置への回転によって前記係合孔に係合され、かつ、当該フック部材の前記第一位置から前記第二位置への回転によって前記係合孔との係合が解除される鎌状のフック部が形成され、
前記フックガイド面は、前記錠受け部材に形成され、
前記フックガイド面は、前記第一位置にある前記フック部材の鎌状のフック部に対して前記スライド方向に対向し、かつ、前記第二位置にある前記フック部材の鎌状のフック部に対して前記対向から外れた位置に配置されている
ことを特徴とする建具。
【請求項３】
請求項１または請求項２に記載の建具において、
少なくとも前記台座および前記錠受け部材のうちの一方の部材には、当該他方の部材に当接して前記障子を前記建具の見込み方向に案内可能に、前記スライド方向に対して前記フックガイド面とは逆向きに傾斜した障子ガイド面が形成されている
ことを特徴とする建具。
【請求項４】
請求項３に記載の建具において、
前記障子ガイド面は、前記台座に一体的に形成されている
ことを特徴とする建具。
【請求項５】
請求項１から請求項４のいずれか一項に記載の建具において、
前記位置保持機構は、前記フック部材の回転軸心側から径方向に突出して当該フック部材に形成された被掛り突部と、前記フック部材の回転方向において前記被掛り突部に掛かる掛り突部、および前記フック部材の回転によって前記被掛り突部が前記掛り突部を乗り越え可能に弾性支持する弾性支持部を有した位置保持部材とによって構成されている
ことを特徴とする建具。
【発明の詳細な説明】
【技術分野】
【０００１】
本発明は、戸先錠を備えた建具に関する。
【背景技術】
【０００２】
従来、建具として、窓枠と、窓枠内にスライド可能に配置された内外の障子とを備え、障子に戸先錠が設けられた引き違い窓が知られている（特許文献１参照）。
【０００３】
戸先錠は、窓枠に取り付けられた錠受け部材と、障子に取り付けられた錠本体とを備えている。錠受け部材には、係合孔が形成されている。錠本体は、係合孔に係合可能な鎌状のフック部が形成された摘みと、この摘みが錠受け部材と係合する方向に回転可能に取り付けられた台座とを備えており、台座には、フック部が錠受け部材に接近する方向に摘みを付勢する板ばねが装着されている。また、フック部には、障子を閉鎖移動した際に錠受け部材に当たって当該錠受け部材から離間する方向に摘みを案内するガイド部が形成されている。
【０００４】
この引き違い窓では、障子を閉鎖移動すると、前述したようにガイド部が錠受け部材に当たって当該錠受け部材から離間する方向に摘みを案内し、そのまま障子を閉めると、フック部が係合孔と重なって位置し、かつ板ばねの付勢力によって係合孔に係合する。
このように、戸先錠は、障子を閉めることでフック部を係合孔に係合して、障子をスライド移動できない自動施錠をする構成とされている。
【特許文献１】特許第５７２８４０４号公報
【発明の概要】
【発明が解決しようとする課題】
【０００５】
ところで、特許文献１に記載の引き違い窓は、障子が閉まる際に自動施錠する構成とされている。このため、引き違い窓を建物のテラスなどに設置して戸先錠を障子に対して室内側に配置した場合において、人が障子を開けて室内から室外に出たまま障子を閉めると、障子が戸先錠によって自動施錠されてしまい、人が室外に締め出されるおそれがある。
【０００６】
本発明の目的は、障子が閉まる際に意図せずに施錠されるおそれをなくすことができる建具を提供することにある。
【課題を解決するための手段】
【０００７】
本発明の建具は、建具枠と、前記建具枠内にスライド方向に開閉自在に配置された障子と、前記障子を施錠する戸先錠とを備えた建具であって、前記戸先錠は、錠受け部材および錠本体を備え、前記錠受け部材は、前記建具枠および前記障子のうちのいずれか一方に取り付けられ、前記錠本体は、前記建具枠および前記障子のうちのいずれか他方に取り付けられた台座と、前記台座に対して回転可能に取り付けられているとともに、前記錠受け部材に係合可能な第一位置および前記錠受け部材との係合を解除可能な第二位置に配置されるフック部材と、前記フック部材を前記第一位置および前記第二位置に保持する位置保持機構とを備え、少なくとも前記錠受け部材および前記フック部材のうちの一方の部材には、当該他方の部材に当接して前記フック部材を前記第一位置から前記第二位置へ案内可能に、前記スライド方向に対して傾斜したフックガイド面が形成されていることを特徴とする。
【０００８】
本発明の建具によれば、フックガイド面が錠受け部材に形成されている場合には、障子が閉鎖移動すると、フックガイド面がフック部材に当たってフック部材を第一位置から第二位置へ案内する。また、フックガイド面がフック部材に形成されている場合には、障子が閉鎖移動すると、フックガイド面が錠受け部材に当たってフック部材を第一位置から第二位置へ案内する。さらに、フックガイド面が錠受け部材およびフック部材の双方に形成されている場合には、障子が閉鎖移動すると、これら双方にそれぞれ対向する部材にフックガイド面が当たってフック部材を第一位置から第二位置へ案内する。
このように、第一位置から第二位置へ案内されたフック部材は位置保持機構によって第二位置に保持されるので、障子を閉める際に、第一位置にあるフック部材が第二位置まで回転されないまま第一位置に残り続けることなく強制的に第二位置に配置でき、障子が閉鎖時に意図せずに施錠されるおそれをなくすことができる。
【０００９】
本発明の建具では、前記錠受け部材には、係合孔が形成され、前記フック部材には、当該フック部材の前記第二位置から前記第一位置への回転によって前記係合孔に係合され、かつ、当該フック部材の前記第一位置から前記第二位置への回転によって前記係合孔との係合が解除される鎌状のフック部が形成され、前記フックガイド面は、前記錠受け部材に形成され、前記フックガイド面は、前記第一位置にある前記フック部材の鎌状のフック部に対して前記スライド方向に対向し、かつ、前記第二位置にある前記フック部材の鎌状のフック部に対して前記対向から外れた位置に配置されていることが好ましい。
【００１０】
このような構成によれば、フック部材が第一位置にある状態で障子が閉められる場合には、フックガイド面が鎌状のフック部に当たってフック部材を第二位置へ案内することとなるので、障子が閉鎖時に意図せずに施錠されるおそれをなくすことができる。
また、フック部材が第二位置にある状態で障子が閉められる場合には、フックガイド面は鎌状のフック部に当たることがなくフック部材は第二位置を維持することとなるので、障子が閉められても解錠状態を維持できる。
【００１１】
本発明の建具では、少なくとも前記台座および前記錠受け部材のうちの一方の部材には、当該他方の部材に当接して前記障子を前記建具の見込み方向に案内可能に、前記スライド方向に対して前記フックガイド面とは逆向きに傾斜した障子ガイド面が形成されていることが好ましい。
このような構成によれば、例えば障子に温度変化による反り等が生じたために当該障子が建具の見込み方向における一方側に寄って位置する場合には、第一位置にあるフック部材がフックガイド面によって第二位置まで案内しきれないことが想定されるが、本発明では、障子の閉鎖移動に伴って、フックガイド面とは逆向きに傾斜した障子ガイド面によって障子を建具の見込み方向に案内することで、フックガイド面を当接相手であるフック部材または錠受け部材にしっかりと当てることができて、フック部材を第二位置まで案内できる。
【００１２】
本発明の建具では、前記障子ガイド面は、前記台座に一体的に形成されていることが好ましい。
このような構成によれば、例えば障子ガイド面が形成されたガイド部材などを、台座に取り付ける場合と比べて、部品点数を削減できる。また、前述したガイド部材、台座および錠受け部材の三つの部材の相互の位置決めをする場合と比べて、ガイド部材および台座の寸法誤差などを考慮する必要がなく、障子ガイド面がある台座と錠受け部材との二つの部材の相互の位置決めをすればよいので、障子ガイド面の錠受け部材に対する位置決めが容易となる。
【００１３】
本発明の建具では、前記位置保持機構は、前記フック部材の回転軸心側から径方向に突出して当該フック部材に形成された被掛り突部と、前記フック部材の回転方向において前記被掛り突部に掛かる掛り突部、および前記フック部材の回転によって前記被掛り突部が前記掛り突部を乗り越え可能に弾性支持する弾性支持部を有した位置保持部材とによって構成されていることが好ましい。
このような構成によれば、掛り突部を被掛り突部に対してフック部材の回転方向における一方側に配置した状態でフック部材を第一位置に配置でき、また、掛り突部を被掛り突部に対してフック部材の回転方向における他方側に配置した状態でフック部材を第二位置に配置できる。そして、フック部材に回転力が加えられても、被掛り突部が弾性支持部の弾性力に抗して掛り突部を乗り越えられない限り、フック部材を第一位置または第二位置に保持できる。また、フック部材に回転力が加えられ、被掛り突部が弾性支持部の弾性力に抗して掛り突部を乗り越えると、フック部材の回転位置は第一位置および第二位置間で切り替えられる。
【発明の効果】
【００１４】
本発明によれば、障子が閉まる際に意図せずに施錠されるおそれをなくすことができる建具を提供できる。
【図面の簡単な説明】
【００１５】
【図１】本発明の実施形態に係る引き違い窓を示す内観姿図。
【図２】図１に示すＩＩ−ＩＩ線に沿った断面図。
【図３】前記実施形態に係る引き違い窓の錠受け部材を示す斜視図。
【図４】前記実施形態に係る引き違い窓の錠本体を示す斜視図。
【図５】図４に示すＶ−Ｖ線に沿った断面図。
【図６】図４に示す錠本体の台座を示す斜視図。
【図７】前記実施形態に係る引き違い窓の自動解錠動作を示す横断面図。
【図８】前記実施形態に係る引き違い窓の框内反り状態における自動解錠動作を示す横断面図。
【図９】前記実施形態に係る引き違い窓の框内反り状態における自動解錠動作を示す横断面図。
【図１０】前記実施形態に係る引き違い窓の框内反り状態における自動解錠動作を示す横断面図。
【図１１】前記実施形態に係る引き違い窓の框外反り状態における自動解錠動作を示す横断面図。
【図１２】前記実施形態に係る引き違い窓の框外反り状態における自動解錠動作を示す横断面図。
【発明を実施するための形態】
【００１６】
［本実施形態の構成］
以下、本発明の実施形態を図面に基づいて説明する。
図１において、本実施形態に係る建具としての引き違い窓１は、建物躯体の開口部に設置されるものである。引き違い窓１は、窓枠２（建具枠）と、左右引き違い形式にスライド可能に窓枠２内に配置される外障子３および内障子４とを備えており、外障子３の戸先側には戸先錠５０が設置されており、内障子４の戸先側には戸先錠６０が設置されている。
ここで、図に示すＸ、Ｙ、Ｚ軸方向は互いに直交しており、本実施形態では、Ｘ軸方向は後述する左右の縦枠２３，２４の見付け方向に沿っており、Ｙ軸方向は後述する上枠２１および下枠２２の見付け方向に沿っており、Ｚ軸方向は引き違い窓１の見込み方向に沿っている。
窓枠２は、樹脂押出形材によって形成された上枠２１、下枠２２および左右の縦枠２３，２４を枠組みして構成されている。
上枠２１および下枠２２には上レールおよび下レールがそれぞれ形成されており、外障子３と内障子４がＸ軸方向にスライド可能に嵌合されている。
【００１７】
図１において左側に示す縦枠２３は、図２に示すように、縦枠見込み片部２３１と、縦枠見込み片部２３１に連続した室外見付け片部２３２、中間見付け片部２３３および室内見付け片部２３４とを有しており、中間見付け片部２３３は、Ｚ軸方向において室外見付け片部２３２および室内見付け片部２３４間に配置されている。中間見付け片部２３３の先端には、気密材２３５が室外側に向かって突設されている。
また、縦枠２３には、室外見付け片部２３２の室内面に沿ってガイド部材２５が設置されている。ガイド部材２５は、閉鎖移動する外障子３に当接して室外側から室内側へ案内するものであり、外障子３のスライド方向に対して傾斜しているとともに、縦枠見込み片部２３１側の一端が室外見付け片部２３２の端部よりも室内側に位置しているガイド面２５１を有している。
なお、図１において右側に示す縦枠２４は、縦枠２３と同じ断面形状の樹脂押出形材によって形成されており、縦枠２３に対して左右逆向きに配置されている。
【００１８】
外障子３および内障子４は、上框３１，４１、下框３２，４２、左右の縦框３３，４３およびガラスパネル等の面材３５，４５を框組みして構成されている。上框３１，４１、下框３２，４２および左右の縦框３３は樹脂押出形材によって形成されている。図１において左側に示す縦框３３は外障子３における戸先框であり、右側に示す縦框４３は内障子４における戸先框である。中央側に示す縦框４３は内障子４の召合せ框である。外障子３の縦框３３と内障子４の縦框４３は、同様に形成されて左右逆向きに配置されているため、外障子３の縦框３３のみ以下詳細に説明する。
【００１９】
縦框３３は、図２に示すように、框本体３６と、框本体３６の中空部に配置された金属製の補強材３７とを備えている。框本体３６は、室外見付け片部３６１および室内見付け片部３６２と、室外見付け片部３６１および室内見付け片部３６２に連続した外見込み片部３６３および内見込み片部３６４とを有している。
【００２０】
戸先錠５０は、図２に示すように、縦枠２３に取り付けられた錠受け部材５１と、戸先側の縦框３３に取り付けられた錠本体５２とを備えている。
錠受け部材５１は、図３に示すように、金属板を断面略Ｌ字状に折曲して形成されており、縦枠２３に固定された固定板部５１１と、固定板部５１１から見付け方向に延出した係合板部５１２と、係合板部５１２の延出端部からＸ軸方向（外障子３のスライド方向と同方向）に対して室外側に向かって傾斜した傾斜板部５１３とを有している。
【００２１】
固定板部５１１は、中間見付け片部２３３および室内見付け片部２３４間に配置されており、縦枠見込み片部２３１にねじ止めされている。固定板部５１１および係合板部５１２が交差して連続する部分には、係合孔５１４が形成されており、この係合孔５１４は、固定板部５１１および係合板部５１２に跨って形成されている。
【００２２】
本実施形態では、傾斜板部５１３の室内側の面によってフックガイド面５１５が構成されている。フックガイド面５１５は、フック部材５４を錠受け部材５１に係合可能な第一位置（図２に二点鎖線で示すフック部材５４の位置）から錠受け部材５１との係合を解除可能な第二位置（図２に実線で示すフック部材５４の位置）へ案内するものである。
このフックガイド面５１５は、縦枠２３の見付け方向内側における一端５１６が見付け方向外側における他端５１７よりもＺ軸方向において室外側に位置している。
【００２３】
フックガイド面５１５は、外障子３が閉じ方向にスライドして縦枠２３に近づく際（フック部５４４が錠受け部材５１に当接する前）において、第一位置にあるフック部材５４のフック部５４４に対して外障子３のスライド方向に対向し、また、第二位置にあるフック部材５４のフック部５４４は、外障子３が閉じた状態でも閉じる過程においても、フックガイド面５１５との対向から外れた位置に配置されている。
【００２４】
錠本体５２は、図２〜図６に示すように、縦框３３の室内見付け片部３６２に取り付けられた台座５３と、台座５３に軸ピン５６を介してＲ１方向およびＲ２方向に回転可能に取り付けられたフック部材５４と、フック部材５４の回転位置を保持する位置保持部材５５とを備えている。
【００２５】
台座５３は、図６に示すように、縦長の台座本体部５３１と、台座本体部５３１に連続した操作カバー部５３２とを有している。
台座本体部５３１には、上下二つの取付孔５３３と、台座本体部５３１の上下方向における中間位置でその表面側から裏面側に貫通した貫通孔５３４と、貫通孔５３４よりも上側および下側の位置で軸ピン５６を受ける軸受け溝５３５と、貫通孔５３４よりも上側および下側の位置で位置保持部材５５の後述する掛け爪５５２が掛けられる掛け孔５３６とが形成されている。この台座５３は、取付孔５３３にねじが挿通されて縦框３３の室内見付け片部３６２にねじ込まれることで、縦框３３の室内面に固定される。
【００２６】
操作カバー部５３２は、台座本体部５３１の表面側から突出しており、当該表面側に連続した内面側にフック部材５４の後述する解錠操作部５４３が配置される凹部５３７が形成されている。この操作カバー部５３２は、台座５３の縦框３３への取付状態では台座本体部５３１から室内側に突出して配置される。
この台座５３において、台座本体部５３１の縦縁部５３１Ａのうち貫通孔５３４よりも上側および下側の位置に形成された上下二つの障子ガイド部５７が当該台座本体部５３１と一体的に形成されている。
【００２７】
障子ガイド部５７は、図５に示すように、縦縁部５３１ＡからＸ軸方向にそれぞれ突出しており、それぞれの突出端面によって障子ガイド面５７１が構成されている。
障子ガイド面５７１は、外障子３を引き違い窓１の見込み方向において室外側へ案内するためのものである。この障子ガイド面５７１は、図５に示すように、外障子３のスライド方向（Ｘ軸方向）に対して傾斜しており、縦框３３の見付け方向外側における一端５７２（戸先側の一端）が見付け方向内側における他端５７３よりもＺ軸方向において室外側に位置している。障子ガイド面５７１の傾斜向きは、前述したフックガイド面５１５の傾斜向きとは逆向きである。
【００２８】
フック部材５４は、前述した軸ピン５６が挿通された回転本体部５４１と、回転本体部５４１から外障子３のスライド方向（Ｘ軸方向）において戸先側に延出した施錠操作部５４２と、回転本体部５４１から室内側に延出した解錠操作部５４３と、図５において施錠操作部５４２の上下方向における中間位置から室外側に突出したフック部５４４とを有している。施錠操作部５４２はＲ１方向に押圧操作可能に構成されており、解錠操作部５４３はＲ２方向に押圧操作可能に構成されている。
【００２９】
回転本体部５４１には、その回転軸心Ｃ側から径方向であって室外側に突出した被掛り突部５４５が形成されている。
被掛り突部５４５には、第一摺動面５４６および第二摺動面５４７が形成されており、第一摺動面５４６および第二摺動面５４７が連続する部分によって被掛り突部５４５の頂部５４８が尖形状に形成されている。第一摺動面５４６および第二摺動面５４７は、回転軸心Ｃと頂部５４８とを結ぶ仮想線に対して傾斜しており、本実施形態ではこれらの傾斜角度は互いに等しい。
【００３０】
フック部５４４は、施錠操作部５４２とともに鎌状に形成されている。また、フック部５４４には傾斜面５４４Ａが形成されており、この傾斜面５４４Ａは、外障子３のスライド方向において戸先側に向かうに従ってフック部５４４の先端部から室内側に傾斜している。
このフック部５４４は、施錠操作部５４２の回転操作によってフック部材５４が図２に実線で示す第二位置から二点鎖線で示す第一位置へのＲ１方向に回転することで、錠受け部材５１の係合孔５１４に係合される。また、フック部５４４は、解錠操作部５４３の回転操作によってフック部材５４が第一位置から第二位置へのＲ２方向に回転することで、係合孔５１４との係合が解除される。
【００３１】
位置保持部材５５は、図５，６に示すように、台座５３の裏面側に配置される本体板部５５１と、本体板部５５１に形成された上下二つの掛け爪５５２と、本体板部５５１から突出した弾性支持部５５３と、弾性支持部５５３の突出した先端に形成された掛り突部５５４とを有している。
各掛け爪５５２は、前述した台座５３の各掛け孔５３６に掛けられることで、位置保持部材５５を台座５３に装着している。弾性支持部５５３は、本体板部５５１からＸ軸方向に沿って延びている。
【００３２】
掛り突部５５４には、第一摺動面５５５および第二摺動面５５６が形成されており、第一摺動面５５５および第二摺動面５５６が連続する部分によって頂部５５７が尖形状に形成されている。掛り突部５５４の頂部５５７は、被掛り突部５４５の頂部５４８の回転軌跡よりも回転軸心Ｃに寄った位置に配置されている。
【００３３】
前述した位置保持部材５５とフック部材５４の被掛り突部５４５とによって位置保持機構５８が構成されている。
フック部材５４が第一位置にある場合、掛り突部５５４は被掛り突部５４５に対してフック部材５４の回転方向における一方側に配置される。また、フック部材５４が第二位置にある場合、掛り突部５５４は被掛り突部５４５に対してフック部材５４の回転方向における他方側に配置される。フック部材５４の回転位置は、被掛り突部５４５が弾性支持部５５３の弾性力に抗して掛り突部５５４を乗り越えない限り、第一位置および第二位置のいずれか一方の位置に保持され、被掛り突部５４５が掛り突部５５４を乗り越えた場合には、第一位置から第二位置への切り替え、または第二位置から第一位置への切り替えが行われる。
【００３４】
戸先錠６０は、前述した錠本体５２と同様に構成されて内障子４の縦框４３に左右逆向きに取り付けられた錠本体と、この錠本体が係合可能に、前述した係合孔５１４およびフックガイド面５１５が形成されて縦枠２４に取り付けられた錠受け部材５１とによって構成されている。
【００３５】
外障子３が図２に示す閉鎖位置、且つ、フック部材５４が実線で示す第二位置にある場合、フック部５４４は錠受け部材５１の係合孔５１４に対して室内側に離れた位置に配置され、戸先錠５０は解錠状態となる。
ここで、施錠操作部５４２を押し操作してフック部材５４をＲ１方向に回転し、フック部材５４の回転位置を第二位置から図２に二点鎖線で示す第一位置へ切り替えて、フック部５４４を係合孔５１４に差し込む。これにより、戸先錠５０によって外障子３を施錠した施錠状態となる。
また、解錠操作部５４３を押し操作してフック部材５４をＲ２方向に回転し、フック部材５４の回転位置を第一位置から第二位置へ切り替えて、フック部５４４を係合孔５１４から抜き出す。これにより、外障子３を解錠した解錠状態となる。
このように戸先錠５０を手動操作することで、外障子３を施錠、解錠する。
【００３６】
戸先錠５０のフック部材５４が第一位置にある状態で外障子３を閉める動作は次の通りである。
図７に示すように、外障子３が縦枠２３に向かってスライド方向に閉鎖移動されると、フック部５４４は、フックガイド面５１５の一端５１６側の部分（先端部分）に当たり、当該フックガイド面５１５に沿って摺動しながら室内側へ案内され、フック部材５４がＲ２方向に回転されながら第一位置から第二位置へ切り替えられる。これにより、戸先錠５０は、外障子３の閉鎖移動に伴って自動解錠動作を行う。
【００３７】
より具体的には、図７に示すように、当接開始時からフック部５４４はフックガイド面５１５の先端部分に当接するため、その後、フック部５４４がフックガイド面５１５の斜面全体（大部分）に沿って摺動することが可能である。
これにより、フックガイド面５１５の室内外方向の寸法（Ｚ軸方向の寸法）だけフック部５４４の先端が室内側に変位するため、被掛り突部５４５の頂部５４８が被掛り突部５５４の第一摺動面５５５に摺接した後、被掛り突部５４５の頂部５４８が掛り突部５５４の頂部５５７を乗り越えることが出来る程度に、フック部５４４をＲ２方向へ大きく回動することが可能となる。
【００３８】
被掛り突部５４５の頂部５４８が掛り突部５５４の頂部５５７を乗り越えることで弾性変形していた弾性支持部５５３が復元しつつ、被掛り突部５４５の頂部５４８が掛り突部５５４の第二摺動面５５６と摺接することで、フック部５４４が更にＲ２方向へ回動して図２の実線で示すフック部５４４の位置となる。これにより、外障子３を閉じきった位置において錠本体５２と錠受け部材５１による施錠を防ぐことができる。
【００３９】
環境温度変化などの影響によって縦框３３に内反りが生じた場合には、縦框３３は図８に示すように縦枠２３に対して室内側寄りに位置することがある。この状態における戸先錠５０による自動解錠動作について、以下説明する。
【００４０】
図８に示すように外障子３が室内側寄りに位置した状態では、第一位置にあるフック部５４４とフックガイド面５１５の最初の当接位置が、図７に示すようにフックガイド面５１５の先端部分ではなく、フックガイド面５１５の他端５１７側寄り部分（室内側寄り部分）となる。
この図８に示す状態の場合では、当接開始時からフック部５４４はフックガイド面５１５の先端部分よりも室外側部分に当接するため、フック部５４４とフックガイド面５１５の摺動距離は図７に示す状態と比較して減少することになる。
この際、台座５３に障子ガイド部５７が設けられていない場合、フック部５４４がＲ２方向に回動する際に、被掛り突部５４５が掛り突部５５４を乗り越えることが出来ない可能性がある。
【００４１】
より具体的には、図８に示すように、当接開始時からフック部５４４はフックガイド面５１５の室内側寄り部分に当接するため、その後、フック部５４４がフックガイド面５１５の一部の斜面に沿って摺動する。
これにより、フックガイド面５１５の室内側方向の寸法（Ｚ軸方向の寸法）より短い寸法しかフック部５４４の先端が室内側に変位しないため、被掛り突部５４５の頂部５４８が被掛り突部５５４の第一摺動面５５５に摺接している間に、フックガイド面５１５に対するフック部５４４の摺動が終わり、被掛り突部５４５の頂部５４８が掛り突部５５４の頂部５５７を乗り越えることが出来ない。
その状態で外障子３を更に閉じ方向へ移動すると、フック部５４４が係合孔５１４に入り込むため、外障子３を閉じきった位置において錠本体５２と錠受け部材５１で施錠される。
【００４２】
それに対し、台座５３に障子ガイド部５７が設けられた場合では、図８の状態から外障子３が更に閉鎖移動し、フック部５４４がフックガイド面５１５に沿って室内側に案内されてフックガイド面５１５の他端５１７側に位置した際には、図９に示すように、障子ガイド部５７の障子ガイド面５７１が錠受け部材５１の傾斜板部５１３の先端に当接する。この状態から外障子３がさらに閉鎖移動すると、障子ガイド面５７１が傾斜板部５１３の先端に摺接しながら室外側へ移動し、外障子３を室外側に案内する。
これにより、フック部５４４がフックガイド面５１５の他端５１７側に位置し、フックガイド面５１５によってフック部５４４を室内側に案内しきれない状態となっても、図９に示す状態で障子ガイド面５７１のうち傾斜板部５１３の先端が当接した位置から室内側に位置した部分の室内外方向の寸法（Ｚ軸方向の寸法）の分だけ、外障子３がフック部５４４に対して室外側に引き離され、フック部材５４はＲ２方向に回転する。この回転により、前述したようにフック部５４４とフックガイド面５１５の摺動距離が図７に示す状態として減少した場合であっても、傾斜板部５１３と障子ガイド面５７１との摺動距離を稼ぐことができ、被掛り突部５４５の頂部５４８が掛り突部５５４の第一摺動面５５５に摺接し、掛り突部５５４の頂部５５７を乗り越えることができる。このため、図１０に示すように、フック部材５４の回転位置を第一位置から第二位置へ切り替えられ、戸先錠５０は、内反りした外障子３の自動解錠動作を行う。
【００４３】
また、環境温度変化などの影響によって縦框３３に外反りが生じた場合には、縦框３３は図１１に示すように縦枠２３に対して室外側寄りに位置することがある。この状態における戸先錠５０による自動解錠動作について、以下説明する。
外障子３の閉鎖移動によって、第一位置にあるフック部材５４のフック部５４４の傾斜面５４４Ａは錠受け部材５１のフックガイド面５１５に当接し、外障子３の閉鎖移動に伴ってフック部５４４はフックガイド面５１５に沿って室内側へ案内され、フック部材５４の回転位置は第一位置から第二位置へ切り替えられる。
さらに外障子３が閉鎖移動されると、縦框３３がガイド部材２５のガイド面２５１に当接し、図１２に示すように外障子３を室内側へ案内する。これにより、フック部５４４は錠受け部材５１の係合板部５１２に対して室内側に離れて配置される。このように、戸先錠５０は、外障子３の閉鎖移動に伴って、当該外反りした外障子３を室内側へ案内しながら自動解錠動作を行う。
なお、戸先錠６０により自動解錠動作は、前述した戸先錠５０による自動解錠動作と概略同様であるので、その詳細な動作説明を省略する。
【００４４】
［本実施形態の効果］
（１）フックガイド面５１５が錠受け部材５１に形成されている場合には、外障子３が閉鎖移動すると、フックガイド面５１５がフック部材５４に当たってフック部材５４を第一位置から第二位置へ案内する。
このように、第一位置から第二位置へ案内されたフック部材５４は位置保持機構５８によって第二位置に保持されるので、外障子３を閉める際に、第一位置にあるフック部材５４が第二位置まで回転されないまま第一位置に残り続けることなく強制的に第二位置に配置でき、外障子３が閉鎖時に意図せずに施錠されるおそれをなくすことができる。
（２）フック部材５４が第一位置にある状態で外障子３が閉められる場合には、フックガイド面５１５が鎌状のフック部５４４に当たってフック部材５４を第二位置へ案内することとなるので、外障子３が閉鎖時に意図せずに施錠されるおそれをなくすことができる。
また、フック部材５４が第二位置にある状態で外障子３が閉められる場合には、フックガイド面５１５は鎌状のフック部５４４に当たることがなくフック部材５４は第二位置を維持することとなるので、外障子３が閉められても解錠状態を維持できる。
（３）外障子３に温度変化による内反り等が生じたために当該外障子３が室内側に寄って位置する場合には、第一位置にあるフック部材５４がフックガイド面５１５によって第二位置まで案内しきれないことが想定されるが、本実施形態では、外障子３の閉鎖移動に伴って、フックガイド面５１５とは逆向きに傾斜した障子ガイド面５７１によって外障子３を引き違い窓１の見込み方向に案内することで、フックガイド面５１５を当接相手であるフック部材５４にしっかりと当てることができて、フック部材５４を第二位置まで案内できる。
（４）障子ガイド面５７１が形成されたガイド部材などを台座５３に取り付ける場合と比べて、部品点数を削減できる。また、前述したガイド部材、台座５３および錠受け部材５１の三つの部材の相互の位置決めをする場合と比べて、ガイド部材および台座５３の寸法誤差などを考慮する必要がなく、障子ガイド面５７１がある台座５３と錠受け部材５１との二つの部材の相互の位置決めをすればよいので、施工時における障子ガイド面５７１の錠受け部材５１に対する位置決めが容易となる。
（５）掛り突部５５４を被掛り突部５４５に対してフック部材５４の回転方向における一方側に配置した状態でフック部材５４を第一位置に配置でき、また、掛り突部５５４を被掛り突部５４５に対してフック部材５４の回転方向における他方側に配置した状態でフック部材５４を第二位置に配置できる。そして、フック部材５４に回転力が加えられても、被掛り突部５４５が弾性支持部５５３の弾性力に抗して掛り突部５５４を乗り越えられない限り、フック部材５４を第一位置または第二位置に保持できる。また、フック部材５４に回転力が加えられ、被掛り突部５４５が弾性支持部５５３の弾性力に抗して掛り突部５５４を乗り越えると、フック部材５４の回転位置は第一位置および第二位置間で切り替えられる。
（６）被掛り突部５４５および掛り突部５５４の頂部５４８，５５７は尖形状である。このため、例えば被掛り突部５４５および掛り突部５５４の頂部５４８，５５７に平坦面が形成されている場合と比べて、被掛り突部５４５の頂部５４８が掛り突部５５４の頂部５５７を速やかに乗り越えることができ、フック部材５４の回転による第一位置および第二位置の切り替えを円滑に行うことができる。
（７）被掛り突部５４５および掛り突部５５４には、互いに摺動可能に当接する第一摺動面５４６，５５５および第二摺動面５４７，５５６が形成され、第一摺動面５４６，５５５および第二摺動面５４７，５５６が連続する部分によって被掛り突部５４５および掛り突部５５４の頂部５４８，５５７が形成されている。
このため、これら摺動面５４６，５５５，５４７，５５６同士が摺動可能に当接することで、フック部材５４を回転方向における一方側や他方側に付勢でき、フック部材５４の回転位置を安定させることができる。
【００４５】
［変形例］
本発明は、以上の実施形態で説明した構成のものに限定されず、本発明の目的を達成できる範囲での変形例は、本発明に含まれる。
例えば、前記実施形態では、錠受け部材５１が窓枠２に取り付けられ、錠本体５２が障子（外障子３、内障子４）に取り付けられているが、これに限らず、錠受け部材５１が障子３に取り付けられ、錠本体５２が窓枠２に取り付けられていてもよい。
【００４６】
前記実施形態では、フックガイド面５１５は、錠受け部材５１に形成されているが、これに代えてまたは加えて、フック部材５４であって錠受け部材５１に当接可能な位置にフックガイド面５１５が形成されていてもよい。
【００４７】
また、障子ガイド面５７１は、台座５３に一体的に形成されているが、これに限らず、例えば、障子ガイド面５７１が形成されたガイド部材を台座５３に取り付けてもよい。また、障子ガイド面５７１は、台座５３に形成されているが、これに代えてまたは加えて、錠受け部材５１に形成されていてもよい。錠受け部材５１に障子ガイド面５７１を形成する場合には、例えば、傾斜板部５１３の先端からさらに室外側に傾斜した障子ガイド部を延設し、これに障子ガイド面５７１を形成してもよい。
【００４８】
前記実施形態では、被掛り突部５４５に第一摺動面５４６および第二摺動面５４７が形成されているとともに、掛り突部５５４に第一摺動面５５５および第二摺動面５５６が形成されているが、被掛り突部５４５および掛り突部５５４のいずれか一方だけに前述した各摺動面が形成されていてもよい。
【００４９】
また、被掛り突部５４５および掛り突部５５４の頂部５４８，５５７は、尖形状に形成されているが、これに限らず、例えば湾曲面や平坦面を有して形成されていてもよい。
【００５０】
本発明の建具は、前記実施形態の引き違い窓１に限定されず、片引き窓などのスライディング形式の窓や戸などの建具であってもよい。
【符号の説明】
【００５１】
１…引き違い窓（建具）、２…窓枠（建具枠）、２１…上枠、２２…下枠、２３，２４…縦枠、２３１…縦枠見込み片部、２３２…室外見付け片部、２３３…中間見付け片部、２３４…室内見付け片部、２３５…気密材、２５…ガイド部材、２５１…ガイド面、３，４…障子、３１，４１…上框、３２，４２…下框、３３，４３…縦框、３５，４５…面材、３６…框本体、３６１…室外見付け片部、３６２…室内見付け片部、３６３…外見込み片部、３６４…内見込み片部、３７…補強材、５０，６０…戸先錠、５１…錠受け部材、５１１…固定板部、５１２…係合板部、５１３…傾斜板部、５１４…係合孔、５１５…フックガイド面、５１６，５７２…一端、５１７，５７３…他端、５２…錠本体、５３…台座、５３１…台座本体部、５３１Ａ…縦縁部、５３２…操作カバー部、５３３…取付孔、５３４…貫通孔、５３５…軸受け溝、５３６…掛け孔、５３７…凹部、５４…フック部材、５４１…回転本体部、５４２…施錠操作部、５４３…解錠操作部、５４４…フック部、５４４Ａ…傾斜面、５４５…被掛り突部、５４６，５５５…第一摺動面、５４７，５５６…第二摺動面、５４８，５５７…頂部、５５…位置保持部材、５５１…本体板部、５５２…掛け爪、５５３…弾性支持部、５５４…掛り突部、５６…軸ピン、５７…障子ガイド部、５７１…障子ガイド面、５８…位置保持機構、Ｃ…回転軸心。
【図１】
2018178608.tif 000003
【図２】
2018178608.tif 000004
【図３】
2018178608.tif 000005
【図４】
2018178608.tif 000006
【図５】
2018178608.tif 000007
【図６】
2018178608.tif 000008
【図７】
2018178608.tif 000009
【図８】
2018178608.tif 000010
【図９】
2018178608.tif 000011
【図１０】
2018178608.tif 000012
【図１１】
2018178608.tif 000013
【図１２】
2018178608.tif 000014